(57)【要約】【課題】  目的に応じてスキャニングモードを自由に選択することを可能とする。【解決手段】  プリントチャンネル設定画面５０において、基準サイズを超えるプリントサイズを設定した場合、リスト５５ｂが表示される。リスト５５ｂには、基準サイズのプリントを作成するのに適した倍率でフィルムを読み取る１回スキャニングモードと、プレスキャニングを行った後に、基準サイズのプリントを作成するのに適した倍率よりも高く、且つ設定されたサイズのプリントを作成するのに適した倍率よりも低い倍率で本スキャニングを行う能力優先２回スキャニングモードと、プレスキャニングを行った後に、設定されたサイズのプリントを作成するのに適した倍率で本スキャニングを行う品質優先２回スキャニングモードとが表示される。読取部は、リスト５５ｂからオペレータによって選択されたスキャニングモードでフィルムを読み取る。【選択図】        図４
2006173858.tif 000002
【特許請求の範囲】
【請求項１】
画像が形成された原稿を読み取る読取部と、
基準サイズのプリントを作成可能な倍率で原稿を１回だけ読み取る１回スキャニングモード、及び、プレスキャニングとプレスキャニングよりも高い倍率で原稿を読み取る本スキャニングとを行う２回スキャニングモードのいずれで前記読取部に原稿を読み取らせるかを設定するモード設定手段と、
１回スキャニングモード、及び、２回スキャニングモードのいずれかを記憶可能であり、初期状態では前記モード設定手段で設定されたモードを記憶しているモード記憶手段と、
オペレータによって操作される入力デバイスと、
前記モード記憶手段の記憶内容を、前記入力デバイスからの信号に従って書き換えるモード書換手段と、
前記モード記憶手段の記憶内容に即して１回スキャニングモード及び２回スキャニングモードのいずれかによる原稿の読み取りが行われるように前記読取部を制御する読取制御手段とを備えていることを特徴とする画像読取装置。
【請求項２】
１回スキャニングモードでの読み取り倍率及び２回スキャニングモードの本スキャニングでの読み取り倍率をそれぞれ記憶する読取倍率記憶手段と、
前記読取倍率記憶手段に記憶された読み取り倍率を書き換える読取倍率書換手段とをさらに備えていることを特徴とする請求項１に記載の画像読取装置。
【請求項３】
前記読取倍率記憶手段が、２回スキャニングモードの本スキャニングでの読み取り倍率として、１回スキャニングモードでの原稿の読み取り倍率よりも高い読み取り倍率を記憶可能であることを特徴とする請求項２に記載の画像読取装置。
【請求項４】
前記モード記憶手段が、複数のプリント条件の組み合わせであるプリントチャンネル毎に、１回スキャニングモード及び２回スキャニングモードのいずれで前記読取部に原稿を読み取らせるかを記憶していることを特徴とする請求項１〜３のいずれか１項に記載の画像読取装置。
【請求項５】
前記モード記憶手段が、２回スキャニングモードとして、品質優先２回スキャニングモード、及び、プレスキャニングにおけるよりも高く且つ品質優先２回スキャニングモードの本スキャニングにおけるよりも低い倍率で原稿を読み取る本スキャニングを行う能力優先２回スキャニングモードのいずれかを選択的に記憶可能であることを特徴とする請求項１〜４のいずれか１項に記載の画像読取装置。
【発明の詳細な説明】
【技術分野】
【０００１】
本発明は、原稿に形成された画像を読み取り可能な画像読取装置に関する。
【背景技術】
【０００２】
印画紙などの感光材料に対して露光、現像、漂白定着、安定化などの処理を自動的に施すことが可能な写真処理装置が知られている。かかる写真処理装置によって感光材料を露光する際には、写真フィルムの透過光で感光材料を露光する直接（アナログ）露光が広く行われている。これに対し、近年、ＣＣＤセンサなどの撮像素子を有するフィルムスキャナでフィルムを撮像することなどによって得られたデジタル画像データファイル（画像信号）に基づいて制御された光で感光材料を露光する、いわゆるデジタル露光が実用化されている。デジタル露光方式を採用することにより、色補正や濃度補正、鮮鋭化処理などの各種画像処理を高い自由度で行うことができるとともに迅速な焼き増し処理が可能になり、さらに、色および濃度の再現性や解像度に優れたより高画質の良好なプリントを得ることが可能となる。
【０００３】
特許文献１には、１回スキャニングモード及び２回スキャニングモードとの両方を有しているフィルムスキャナが記載されている。１回スキャニングモードとは、基準サイズのプリントを作成するのに適した倍率で１本のフィルム中の全コマを連続的に読み取るモードである。２回スキャニングモードとは、まず低倍率で１本のフィルム中の全コマを連続的に読み取り（プレスキャニング）、次にオペレータが任意に選択するサイズのプリントを作成するのに適した倍率でフィルム中の全コマを１コマずつ読み取る（本スキャニング）モードである。なお、プレスキャニングでの読み取りによって生成された各コマに係るサムネイル画像ファイルのサイズは、１回スキャニングモードでの読み取りによって生成された各コマに係る画像データファイルのサイズと比較して、十分に小さい。
【０００４】
１回スキャニングモードにおいては、生成された１本分のフィルムに係る全ての画像データファイルがメモリに記憶される。このとき、最後の画像データファイルが記憶されるまで、それ以前に記憶されたどの画像データファイルもメモリから削除されることがない。つまり、メモリは、すべての画像データファイルのサイズの和よりも大きな容量を有している。その後、間引き処理が施された読み取り画像データファイルに基づいてディスプレイにサムネイル画像が表示される。オペレータは、サムネイル画像を確認しながら各コマに対して補正値やプリント枚数等を入力するプレジャッジ作業を行う。そして、プレジャッジ作業終了後、画像データファイルに基づいて印画紙に対する露光処理が開始される。
【０００５】
２回スキャニングモードにおいては、プレスキャニングで生成されメモリに記憶された１本分のフィルムに係る全てのサムネイル画像ファイルに基づいて、ディスプレイにサムネイル画像が表示される。そして、オペレータによる全てのコマ画像のプレジャッジ作業が終了した後に本スキャニングが開始され、読み取りによって生成された画像データファイルが順次メモリに記憶される。このとき、本スキャニングで読み取られたコマから印画紙に対する露光処理が開始され、露光処理が終了したコマに係る画像データファイルは順次メモリから削除される。これは、本スキャニングにおいて生成された画像データファイルのサイズが比較的大きいことが多いために、その全てをメモリに格納しておくことができない場合があるためである。
【０００６】
したがって、１回スキャニングモードは、読み取りの回数が１回であることに加えて、フィルム１本分の全コマの読み取りが終了した後、直ちに次のフィルムをスキャナにセットすることができるので、高い処理能力を示す。２回スキャニングモードでは、スキャニング回数が増える分だけ処理能力が１回スキャニングモードに比べて低下するものの、メモリに記憶される画像データファイルが最大でも数コマ分であるので、１回スキャニングモードよりも高い倍率で各コマを読み取ることが可能である。これにより、プリントサイズが大きい場合でも、高画質プリントを得ることが可能となる。
【特許文献１】特開２００３−１２５１５８号公報
【発明の開示】
【発明が解決しようとする課題】
【０００７】
かかるフィルムスキャナでは、１回スキャニングモードでフィルムを読み取るか、２回スキャニングモードでフィルムを読み取るかは、プリントサイズによって自動的に決められている。具体的には、プリントサイズが基準サイズ（１回スキャニングモードでの読み取り倍率に適した最大サイズ）を超える場合には、２回スキャニングモードでフィルムが読み取られる。
【０００８】
したがって、例えばテストプリントを行う場合など、プリント画像が低画質でも構わない場合でも、自動的に２回スキャニングモードが選択されてしまい、フィルムスキャナの処理能力が低下してしまうことがある。
【０００９】
そこで、本発明の目的は、目的に応じてスキャニングモードを自由に選択することが可能な画像読取装置を提供することである。
【課題を解決するための手段及び効果】
【００１０】
本発明の画像読取装置は、画像が形成された原稿を読み取る読取部と、基準サイズのプリントを作成可能な倍率で原稿を１回だけ読み取る１回スキャニングモード、及び、プレスキャニングとプレスキャニングよりも高い倍率で原稿を読み取る本スキャニングとを行う２回スキャニングモードのいずれで前記読取部に原稿を読み取らせるかを設定するモード設定手段と、１回スキャニングモード、及び、２回スキャニングモードのいずれかを記憶可能であり、初期状態では前記モード設定手段で設定されたモードを記憶しているモード記憶手段と、オペレータによって操作される入力デバイスと前記モード記憶手段の記憶内容を、前記入力デバイスからの信号に従って書き換えるモード書換手段と、前記モード記憶手段の記憶内容に即して１回スキャニングモード及び２回スキャニングモードのいずれかによる原稿の読み取りが行われるように前記読取部を制御する読取制御手段とを備えている。
【００１１】
この構成によると、オペレータが選択したスキャニングモードで原稿を読み取ることができる。したがって目的に応じてスキャニングモードをオペレータが自由に選択することが可能である。
【００１２】
本発明の画像読取装置は、１回スキャニングモードでの読み取り倍率及び２回スキャニングモードの本スキャニングでの読み取り倍率をそれぞれ記憶する読取倍率記憶手段と、前記読取倍率記憶手段に記憶された読み取り倍率を書き換える読取倍率書換手段とをさらに備えていることが好ましい。
【００１３】
この構成によると、読取倍率記憶手段に記憶された読み取り倍率を変更することができる。したがって、例えば原稿の大きさを検出可能としておき、検出された原稿の大きさを考慮して読み取り倍率を決定することができる。
【００１４】
本発明の画像読取装置では、前記読取倍率記憶手段が、２回スキャニングモードの本スキャニングでの読み取り倍率として、１回スキャニングモードでの原稿の読み取り倍率よりも高い読み取り倍率を記憶可能であることが好ましい。
【００１５】
この構成によると、オペレータが１回スキャニングモードを選択した場合には、画像読取装置の処理能力を向上させることが可能となり、２回スキャニングモードを選択した場合には、高画質プリントを得ることが可能となる。
【００１６】
本発明の画像読取装置では、前記モード記憶手段が、複数のプリント条件の組み合わせであるプリントチャンネル毎に、１回スキャニングモード及び２回スキャニングモードのいずれで前記読取部に原稿を読み取らせるかを記憶していることが好ましい。
【００１７】
この構成によると、プリントチャンネル毎に目的に応じたスキャニングモードを予め設定しておくことができる。したがって、画像読取装置の作業性が向上する。
【００１８】
前記モード記憶手段が、２回スキャニングモードとして、品質優先２回スキャニングモード、及び、プレスキャニングにおけるよりも高く且つ品質優先２回スキャニングモードの本スキャニングにおけるよりも低い倍率で原稿を読み取る本スキャニングを行う能力優先２回スキャニングモードのいずれかを選択的に記憶可能であることが好ましい。
【００１９】
この構成によると、スキャニングモードがより細別される。したがって、目的に即したスキャニングモードをオペレータが自由に選択することができる。
【発明を実施するための最良の形態】
【００２０】
以下、本発明の好適な一実施の形態について、図面を参照しつつ説明する。図１は、本実施の形態に係るフィルムスキャナの概略構成を示す図である。
【００２１】
図１に示すように、フィルムスキャナ１は、フィルムが装着されるフィルム装着ユニット１１０と、フィルム装着ユニット１１０の上方に配置されており、スキャニング時にフィルムに対して光を照射する照明光学ユニット１２０と、フィルム装着ユニット１１０の下方に配置されており、照明光学ユニット１２０から出射されフィルム装着ユニット１１０に装着されたフィルムを透過した光を受光する撮像光学ユニット１３０とからなる読取部１０を備えている。
【００２２】
さらに、フィルムスキャナ１は、フィルムスキャナ１全体を制御するコントローラ２０と、フィルムスキャナ１に関する様々な情報を表示してオペレータに告知するディスプレイ３１と、オペレータがフィルムスキャナ１に対して指示を与えるキーボード３２及びマウス３３とを有している。
【００２３】
ここで、図１の読取部１０の内部構成を示す図２を参照しつつ、読取部１０の詳細な構成について説明する。
【００２４】
フィルム装着ユニット１１０は、装着されたフィルムに対する照明光学ユニット１２０から出射される光の照射範囲を決定すると共に、複数の搬送ローラ対１１２によってフィルムを副走査方向（図２に示される矢印方向）に一定速度で搬送する。また、フィルム装着ユニット１１０には、照明光学ユニット１２０から出射される光の光路に対応する位置よりもフィルムの搬送方向上流側においてフィルム装着ユニット１１０に装着されたフィルムの幅を検出するための幅検出センサ１１１が配置されている。
【００２５】
照明光学ユニット１２０は、フィルム装着ユニット１１０内を搬送されるフィルムに対して光を照射するためのものである。照明光学ユニット１２０は、光源１２１と、調光フィルタ１２２と、ミラートンネル１２３とを有している。光源１２１は、例えばハロゲンランプであって、これから照射される光には、赤（Ｒ）、緑（Ｇ）、青（Ｂ）の３色のそれぞれに対応する波長領域の光が含まれている。調光フィルタ１２２は、光源１２１からの光ビームの色分布を必要に応じて整えるためのものである。ミラートンネル１２３は、光源１２１からの光ビームの強度分布を整えるためのものである。従って、光源１２１により出射された光は、調光フィルタ１２２およびミラートンネル１２３によって、その色分布や強度分布が整えられた後で、フィルムに照射される。
【００２６】
撮像光学ユニット１３０は、ズームレンズを含むレンズユニット１３１と、フィルムを透過した光を受光するＣＣＤラインセンサ１３２ａ、１３２ｂ、１３２ｃと、ＣＣＤラインセンサ１３２ａ〜１３２ｃから出力されたデータに対して各種処理を行うデータ処理部１３３とを有している。
【００２７】
レンズユニット１３１は、フィルムを透過した光をＣＣＤラインセンサ１３２ａ〜１３２ｃ上に結像するためのものである。なお、図２では、結像光学素子として機能するレンズユニット１３１として、１つのレンズだけが図示されているが、レンズユニット１３１は複数のレンズを含んでいてもよい。
【００２８】
ＣＣＤラインセンサ１３２ａ〜１３２ｃは、フィルムの搬送方向である副走査方向に直交する主走査方向に沿って配置されたライン状のセンサである。ここで、ＣＣＤラインセンサ１３２ａ〜１３２ｃは、主走査方向つまりフィルムの幅方向と平行に配列された多数の画素（ピクセル）を含んでいる。また、ＣＣＤラインセンサ１３２ａ〜１３２ｃは、副走査方向上流側から下流側に沿って互いに所定間隔だけ離隔して配置されている。
【００２９】
ＣＣＤラインセンサ１３２ａ〜１３２ｃの各撮像面には、Ｒ、Ｇ、Ｂの色分解フィルタのいずれかがそれぞれ取り付けられており、ＲＧＢの各色に対応するように割り当てられている。つまり、赤色に対応するＣＣＤラインセンサ１３２ａの撮像面にはフィルムを透過した光の赤色成分のみを通過させるカラーフィルタが、これと同様に、緑色に対応するＣＣＤラインセンサ１３２ｂの撮像面には緑色成分のみを通過させるカラーフィルタが、青色に対応するＣＣＤラインセンサ１３２ｃの撮像面には青色成分のみを通過させるカラーフィルタが取り付けられている。
【００３０】
データ処理部１３３は、各ＣＣＤラインセンサ１３２ａ〜１３２ｃの画素から出力される各画素信号をサンプルホールドすることにより各画素信号を連続した画像信号とすると共に、この各画素信号を所定のビット数（例えば１２ビット）のデジタル信号に変換した後で、コントローラ２０にデジタル画像データファイルとして供給する。
【００３１】
次に、コントローラ２０の構成を示すブロック図である図３を参照しつつ、コントローラ２０について説明する。図３に示すように、コントローラ２０は、モード設定部２１、モード記憶部２２、モード書換部２３、読取制御部２４、読取倍率記憶部２５、読取倍率書換部２６、画像記憶部２７、及び、画像処理部２８を有している。また、コントローラ２０には、フィルムスキャナ１で読み取られた画像をプリントするために感光材料である印画紙に対して露光処理を施す露光ヘッド１０１が接続されている。
【００３２】
モード設定部２１は、モード記憶部２２に記憶するデフォルトのスキャニングモードを設定する。本実施の形態では、モード設定部２１は、デフォルトのスキャニングモードとして後述する１回スキャニングモードを設定する。モード記憶部２２は、読取部１０でフィルムを読み取る際のスキャニングモードを記憶する。本実施の形態では、モード記憶部２２は、後で詳述する１回スキャニングモード、品質優先２回スキャニングモード、及び能力優先２回スキャニングモードの３つのスキャニングモードのうちいずれか１つを記憶する。より詳細には、モード記憶部２２は、プリントチャンネル毎に各スキャニングモードのうちいずれか１つを記憶している。なお、初期状態では、モード記憶部２２には、モード設定部２１で設定された１回スキャニングモードが記憶されている。
【００３３】
プリントチャンネルとは、複数のプリント条件の組み合わせである。本実施の形態では、プリントチャンネル毎に、名称、幅（プリントの幅方向の長さ）、送り（プリントの長手方向の長さ）、ＷＢ／ＢＬ（縁有り／縁無し）及びスキャニングモードが決められている。各プリントチャンネルの名称、幅、送り、ＷＢ／ＢＬは、後述するプリント設定画面５０において、オペレータが自由に設定可能である。
【００３４】
ここで、図４を参照しつつ、プリントチャンネル選択画面４０及びプリントチャンネル設定画面５０について説明する。図４（ａ）は、プリントチャンネル選択画面４０であり、図４（ｂ）は、プリントチャンネル設定画面５０である。
【００３５】
プリントチャンネル選択画面４０は、フィルムスキャナ１でフィルムの読み取りを開始する前、より詳細には、フィルム装着ユニット１１０にフィルムをセットする前にディスプレイ３１に表示される。プリントチャンネル選択画面４０には、図４（ａ）に示すように、あらかじめ設定されている複数のプリントチャンネルの設定内容の一覧が表示される。
【００３６】
そして、プリントチャンネル選択画面４０において、オペレータが、表示された複数のプリントチャンネルのうちの１つにマウス３３のカーソルを合わせた状態で、マウス３３の右または左ボタンをクリックすると、プリントチャンネル設定画面５０がディスプレイ３１に表示される。
【００３７】
プリントチャンネル設定画面５０には、図４（ｂ）に示すように、名称、幅、送りを入力することができる名称入力フィールド５１、幅入力フィールド５２、送り入力フィールド５３がそれぞれ表示されている。また、プリントチャンネル設定画面５０には、ＷＢ／ＢＬ、スキャニングモードを表示するＷＢ／ＢＬ表示フィールド５４、モード表示フィールド５５が表示されている。さらに、ＷＢ／ＢＬ表示フィールド５４、モード表示フィールド５５の傍らには、それぞれリスト表示ボタン５４ａ、５５ａが表示されている。加えて、プリントチャンネル設定画面５０の右下方には、確定ボタン５６が表示されている。
【００３８】
ここで、プリントチャンネル設定画面５０における、プリントチャンネルの各項目の設定方法について説明する。名称、幅、及び送りについては、キーボード３２を用いて各入力フィールドに入力することでそれぞれ設定することができる。スキャニングモードについては、オペレータが、リスト表示ボタン５５ａにマウス３３のカーソルを合わせた状態で、マウス３３の右または左ボタンをクリックするとリスト５５ｂが表示される。オペレータは、表示されたリスト５５ｂの各項目のうちの１つにマウス３３のカーソルを合わせた状態で、マウス３３の右または左ボタンをクリックすることによって、スキャニングモードを設定することができる。このとき、モード表示フィールド５５には、設定されたモードが表示される。ＷＢ／ＢＬについてもスキャニングモードと同様の要領で設定することができる。
【００３９】
そして、確定ボタン５６にマウス３３のカーソルを合わせた状態で、マウス３３の右ボタンまたは左ボタンをクリックすることによって、プリントチャンネル設定画面５０で設定した内容を確定させることができる。
【００４０】
本実施の形態では、プリントチャンネル設定画面５０において、オペレータが基準サイズを超えるプリントサイズ（幅、及び送りで決まる）を設定した場合のみ、図４（ｂ）に示すように、スキャニングモードのリスト５５ｂが表示される。オペレータが基準サイズ以下のプリントサイズを設定した場合には、モード表示フィールド５５には「能力最優先（１回スキャニング）」と表示される。本実施の形態では、基準サイズは、８９ｍｍ×１２７ｍｍとする。なお、オペレータが選択したプリントサイズに拘らずスキャニングモードのリスト５５ｂが表示されるようにしてもよい。
【００４１】
次いで、本実施の形態の読取部１０の３つのスキャニングモードについて説明する。１回スキャニングモードでは、基準サイズのプリントを作成するのに適した倍率で１本のフィルム中の全コマを連続的に読み取る。その後、生成された画像データファイルに間引き処理等を施すことによって作成されたサムネイル画像ファイルに基づいてディスプレイ３１にサムネイル画像が表示される。オペレータは、サムネイル画像を確認しながら各コマに対して補正値やプリント枚数等を入力するプレジャッジ作業を行う。そして、プレジャッジ作業終了後、スキャニングによって生成された画像データファイルに対して補正値に基づく補正処理が施され、補正処理済みの画像データファイルが露光ヘッド１０１に出力される。
【００４２】
２回スキャニングモードでは、まずディスプレイ３１にサムネイル画像を表示するのに適した程度の低倍率で１本のフィルム中の全コマを連続的に読み取るプレスキャニングを行い、次にプレスキャニングよりも高い倍率でフィルム中の全コマを１コマずつ読み取る本スキャニングを行う。プレスキャニング終了後、ディスプレイ３１には、プレスキャニングによって生成された１本分のフィルムに係る全てのサムネイル画像ファイルに基づいてサムネイル画像が表示される。そして、オペレータによる全てのコマ画像のプレジャッジ作業が終了した後に本スキャニングが開始される。１コマ分の画像が読み取られると、読み取られたコマに対応する画像データファイルに対して補正値に基づく補正処理が施され、補正処理済みの画像データファイルが露光ヘッド１０１に出力される。
【００４３】
なお、プレスキャニングでの読み取りによって生成された各コマに係るサムネイル画像ファイルのサイズは、１回スキャニングモードでの読み取りによって生成された各コマに係る画像データファイルのサイズと比較して、十分に小さい。
【００４４】
さらに、品質優先２回スキャニングモードの本スキャニングでは、オペレータが入力したサイズのプリントを作成するのに適した倍率でフィルムを読み取る。能力優先２回スキャニングモードでは、オペレータが入力したサイズのプリントを作成するのに適した倍率よりも低く、且つ基準サイズのプリントを作成するのに適した倍率よりも高い倍率でフィルムを読み取る。
【００４５】
図３に戻って、モード書換部２３は、モード記憶部２２に記憶されているスキャニングモードを、プリントチャンネル設定画面５０においてオペレータが設定したスキャニングモードに書き換える。読取制御部２４は、モード記憶部２２に記憶されているスキャニングモードでフィルムの読み取りが行われるように読取部１０を制御する。
【００４６】
読取倍率記憶部２５は、１回スキャニングモードでの読み取り倍率と、２回スキャニングモードの本スキャニングでの読み取り倍率とをそれぞれ記憶する。なお、読取倍率記憶部２５には、デフォルトで基準幅のフィルムを読み取る場合の読み取り倍率が記憶されている。本実施の形態では、フィルムの基準幅は３５ｍｍとする。さらに、読取倍率記憶部２５には、２回スキャニングモードの本スキャニングでの読み取り倍率として、１回スキャニングモードでのフィルムの読み取り倍率よりも高い倍率が記憶される。読取倍率書換部２６は、読取倍率記憶部２５に記憶されている読み取り倍率を、幅検出センサ１１１によって検出されたフィルムの幅、及びモード記憶部２２に記憶されているスキャニングモードに基づいて書き換える。
【００４７】
画像記憶部２７は、１回スキャニングモードの場合には、スキャニングで生成された１本分のフィルムに係る全ての画像データファイルを記憶する。そして、画像記憶部２７に記憶された全ての画像データファイルは、露光処理を施すために露光ヘッド１０１に出力された後に画像記憶部２７から一斉に削除される。また、画像記憶部２７は、２回スキャニングモードの場合には、プレスキャニングで生成された１本分のフィルムに係る全てのサムネイル画像ファイルを記憶する。さらに、本スキャニングの１コマずつの読み取りにより生成された画像データファイルを順次記憶する。本スキャニングにより生成された画像データファイルは、露光ヘッド１０１へ出力されたコマに係るものから順次削除される。そして、本スキャニングにより生成された画像データファイルが全て削除された後、サムネイル画像ファイルが削除される。
【００４８】
画像処理部２８は、画像記憶部２７に記憶されている１回スキャニングモードの際のスキャニングにより生成された画像データファイル、または、２回スキャニングモードの際の本スキャニングにより生成された画像データファイルに対して、プレジャッジ作業で入力された補正値に基づく色調補正等の各種補正処理を施す。
【００４９】
次に、図５、図６を参照しつつ、写真処理装置１における処理の手順について説明する。図５は、フィルムスキャナ１におけるフィルムの読み取りの手順を示すフローチャートである。図６は、図５に示すフローチャート中に行われる割り込み処理+の手順を示すフローチャートである。
【００５０】
先ず、ディスプレイ３１に、図４（ａ）に示すようなプリントチャンネル選択画面４０が表示される（ステップＳ１０１）。そして、オペレータがマウス３３を用いて、プリントチャンネル選択画面４０に示される複数のプリントチャンネルから１つのプリントチャンネルを選択したか否かが判断される（ステップＳ１０２）。プリントチャンネルが選択されていないと判断された場合には（ステップＳ１０２：ＮＯ）、プリントチャンネルが選択されるまでステップＳ１０２の判断が繰り返される。一方、プリントチャンネルが選択されたと判断された場合には（ステップＳ１０２：ＹＥＳ）、図４（ｂ）に示すような、選択されたプリントチャンネルのプリントチャンネル設定画面５０がディスプレイ３１に表示される（ステップＳ１０３）。
【００５１】
次に、プリントチャンネル設定画面５０において設定されているプリントサイズが基準サイズを超えるか否かが判断される（ステップＳ１０４）。プリントサイズが基準サイズを超えていないと判断された場合には（ステップＳ１０４：ＮＯ）、後述するステップＳ１０５〜Ｓ１０７を省略してステップＳ１０８に進む。なお、このとき、モード表示フィールド５５には、「能力優先（１回スキャニング）」と表示されており、１回スキャニングモードに設定されている。
【００５２】
一方、プリントサイズが基準サイズを超えていると判断された場合には（ステップＳ１０４：ＹＥＳ）、オペレータがマウス３３を用いてスキャニングモードのリスト５５ｂを表示させたか否かが判断される（ステップＳ１０５）。リスト５５ｂが表示されたと判断された場合には（ステップＳ１０５：ＹＥＳ）、オペレータがマウス３３を用いて、リスト５５ｂに表示されている各項目のうち、現在設定されている項目とは別の項目を選択し、スキャニングモードの設定変更を行ったか否かが判断される（ステップＳ１０６）。
【００５３】
スキャニングモードの設定変更が行われたと判断された場合には（ステップＳ１０６：ＹＥＳ）、モード書換部２３によって、モード記憶部２２に記憶されているスキャニングモードが、オペレータが設定したスキャニングモードに書き換えられる（ステップＳ１０７）。その後、ステップＳ１０５に戻って、再びリスト５５ｂが表示されたか否かが判断される。一方、スキャニングモードの設定変更が行われなかったと判断された場合には（ステップＳ１０６：ＮＯ）、上述のステップＳ１０７を省略して、ステップＳ１０５に戻る。
【００５４】
そして、リスト５５ｂが表示されていないと判断された場合には（ステップＳ１０５：ＮＯ）、確定ボタン５６によって設定内容が確定されたか否かが判断される（ステップＳ１０８）。設定内容が確定されていないと判断された場合には（ステップＳ１０８：ＮＯ）、ステップＳ１０５に戻って、再びリスト５５ｂが表示されたか否かが判断される。一方、設定内容が確定されたと判断された場合には（ステップＳ１０８：ＹＥＳ）、フィルム装着ユニット１１０にフィルムがセットされたか否かが判断される（ステップＳ１０９）。
【００５５】
フィルムがセットされていないと判断された場合には（ステップＳ１０９：ＮＯ）、フィルムがセットされたと判断されるまで、ステップＳ１０９の判断が繰り返し行われる。一方、フィルムがセットされたと判断された場合には（ステップＳ１０９：ＹＥＳ）、幅検出センサ１１１によってセットされたフィルムの幅が検出される（ステップＳ１１０）。
【００５６】
続いて、フィルム装着ユニット１１０に装着されたフィルムの幅が基準幅と異なるか否かが判断される（ステップＳ１１１）。フィルム幅が基準幅であると判断された場合には（ステップＳ１１１：ＮＯ）、後述するステップＳ１１２が省略され、ステップＳ１１３に進む。一方、フィルムが基準幅と異なると判断された場合には（ステップＳ１１１：ＹＥＳ）、読取倍率書換部２６によって、読取倍率記憶部２５に記憶されている読み取り倍率が、セットされたフィルムの幅、及びモード記憶部２２に記憶されているスキャニングモードに基づいて書き換えられる（ステップＳ１１２）。その後、モード記憶部２２に記憶されているスキャニングモードが１回スキャニングモードであるか否かが判断される（ステップＳ１１３）。
【００５７】
１回スキャニングモードが記憶されていると判断された場合には（ステップＳ１１３：ＹＥＳ）、読取制御部２４によって、１回スキャニングモードでフィルムの読取が行われるように読取部１０が制御される。具体的には、フィルム装着ユニット１１０にセットされたフィルム中の全コマのスキャニングが連続的に行われる（ステップＳ１１４）。なお、スキャニングが終了した直後、フィルム装着ユニット１１０に、次に読み取りを行うフィルムをセットしておいてもよい。
【００５８】
そして、スキャニングによって生成された１本分のフィルムに係る全ての画像データファイルが画像記憶部２７に書き込まれる（ステップＳ１１５）。その後、スキャニングによって生成された画像データファイルから作成されたサムネイル画像ファイルに基づいて、ディスプレイ３１にサムネイル画像が表示される（ステップＳ１１６）。このとき、オペレータは、サムネイル画像を確認しながら補正値等を入力するプレジャッジ作業を行う。
【００５９】
次いで、プレジャッジ作業が終了したか否かが判断される（ステップＳ１１７）。プレジャッジ作業が終了していないと判断された場合には（ステップＳ１１７：ＮＯ）、プレジャッジ作業が終了するまでステップＳ１１７での判断が繰り返し行われる。プレジャッジ作業が終了したと判断された場合には（ステップＳ１１７：ＹＥＳ）、画像処理部２８によって、プレジャッジ作業で入力された補正値に基づいて補正処理が行われる（ステップＳ１１８）。
【００６０】
その後、補正処理済みの画像データファイルが、露光ヘッド１０１に出力される（ステップＳ１１９）。そして、１本分のフィルムに係る全ての画像データファイルが露光ヘッド１０１に出力された後、画像記憶部２７に記憶されていた画像データファイルが一斉に削除される（ステップＳ１２０）。
【００６１】
一方、モード記憶部２２に１回スキャニングモードが記憶されていない、即ち２回スキャニングモードが記憶されていると判断された場合には（ステップＳ１１３：ＮＯ）、読取制御部２４によって、２回スキャニングモードでフィルムの読み取りが行われるように読取部１０が制御される。具体的には、まずセットされたフィルム中の全コマを低倍率で連続的に読み取るプレスキャニングが行われる（ステップＳ１２１）。
【００６２】
そして、プレスキャニングによって生成された１本分のフィルムに係る全てのサムネイル画像ファイルが画像記憶部２７に書き込まれる（ステップＳ１２２）。その後、プレスキャニングによって生成されたサムネイル画像ファイルに基づいて、ディスプレイ３１にサムネイル画像が表示される（ステップＳ１２３）。このとき、オペレータは、サムネイル画像を確認しながらプレジャッジ作業を行う。
【００６３】
続いて、プレジャッジ作業が終了したか否かが判断される（ステップＳ１２４）。プレジャッジ作業が終了していないと判断された場合には（ステップＳ１２４：ＮＯ）、プレジャッジ作業が終了するまでステップＳ１２４での判断が繰り返し行われる。プレジャッジ作業が終了したと判断された場合には（ステップＳ１２４：ＹＥＳ）、スキャニングモードが能力優先２回スキャニングモードに設定されているか否かが判断される（ステップＳ１２５）。
【００６４】
能力優先２回スキャニングモードに設定されていると判断された場合には（ステップＳ１２５：ＹＥＳ）、読取制御部２４によって、能力優先２回スキャニングモードで本スキャニングが行われるように読取部１０が制御される。具体的には、セットされたフィルムの１コマを設定されたサイズのプリントを作成するのに適した倍率よりも低く、且つ基準サイズのプリントを作成するのに適した倍率よりも高い倍率で本スキャニングが行われる（ステップＳ１２６）。そして、本スキャニングによって生成された１コマ分に対応する画像データファイルが画像記憶部２７に書き込まれる（ステップＳ１２７）。その後、割り込み処理が開始される（ステップＳ１２８）。
【００６５】
ここで、割り込み処理の手順について説明する。まず、図６に示すように、１コマ分に対応する画像データファイルに対して、画像処理部２８によって、プレジャッジ作業で入力された補正値に基づく補正処理が行われる（ステップＳ２０１）。次に、補正処理済みの１コマ分に対応する画像データファイルが、露光ヘッド１０１に出力される（ステップＳ２０２）。その後、露光ヘッド１０１に出力された１コマ分に対応する画像データファイルが、画像記憶部２７から削除される（ステップＳ２０３）。なお、ステップＳ２０３は、後述するステップＳ１３４が実行されるまでのどこかで実行される。
【００６６】
続いて、フィルム中の全コマの本スキャニングが終了したか否かが判断される（ステップＳ１２９）。全コマの本スキャニングが終了していないと判断された場合には（ステップＳ１２９：ＮＯ）、ステップＳ１２６に戻って、次の１コマ分の本スキャニングが行われる。一方、全コマの本スキャニングが終了したと判断された場合には（ステップＳ１２９：ＹＥＳ）、後述するステップＳ１３４に進む。
【００６７】
能力優先２回スキャニングモードに設定されていない、即ち品質優先２回スキャニングモードに設定されていると判断された場合には（ステップＳ１２５：ＮＯ）、読取制御部２４によって、品質優先２回スキャニングモードで本スキャニングが行われるように読取部１０が制御される。具体的には、セットされたフィルムの１コマを設定されたサイズのプリントを作成するのに適した倍率で本スキャニングが行われる（ステップＳ１３０）。そして、本スキャニングによって生成された１コマ分に対応する画像データファイルが画像記憶部２７に書き込まれる（ステップＳ１３１）。その後、上述のステップＳ１２８と同様の割り込み処理が開始される（ステップＳ１３２）。
【００６８】
続いて、フィルム中の全コマの本スキャニングが終了したか否かが判断される（ステップＳ１３３）。全コマの本スキャニングが終了していないと判断された場合には（ステップＳ１３３：ＮＯ）、ステップＳ１３０に戻って、次の１コマ分の本スキャニングが行われる。一方、全コマの本スキャニングが終了したと判断された場合には（ステップＳ１３３：ＹＥＳ）、画像記憶部２７から全てのサムネイル画像ファイルが削除される（ステップＳ１３４）。
【００６９】
以上のように、本実施の形態のフィルムスキャナ１では、プリントチャンネル設定画面５０において、プリントサイズを基準サイズを超えるサイズに設定した場合、リスト表示ボタン５５ａによってスキャニングモードを選択可能なリスト５５ｂを表示させることができる。そして、モード書換部２３によって、モード記憶部２２に記憶されているスキャニングモードが、リスト５５ｂからオペレータが選択したスキャニングモードに書き換えられる。さらに、読取制御部２４が、モード記憶部２３に記憶されているスキャニングモードでフィルムの読み取りが行われるように読取部１０を制御する。よって、目的に応じてスキャニングモードをオペレータが自由に選択することが可能である。
【００７０】
さらに、本実施の形態のフィルムスキャナ１で行われるスキャニングモードとしては、基準サイズのプリントを作成するのに適した倍率で１本のフィルム中の全コマを連続的に１回だけ読み取る１回スキャニングモードと、まずディスプレイ３１にサムネイル画像を表示するのに適した程度の低倍率で１本のフィルム中の全コマを連続的に読み取るプレスキャニングを行い、次にプレスキャニングよりも高い倍率でフィルム中の全コマを１コマずつ読み取る本スキャニングを行う２回スキャニングモードとがある。さらに、２回スキャニングモードとして、設定されたサイズのプリントを作成するのに適した倍率で本スキャニングを行う品質優先２回スキャニングモードと、設定されたサイズのプリントを作成するのに適した倍率よりも低く、且つ基準サイズのプリントを作成するのに適した倍率よりも高い倍率で本スキャニングを行う能力優先２回スキャニングモードとがある。このように、スキャニングモードが３タイプに細別されるので、目的に即したスキャニングモードをオペレータが自由に選択することができる。
【００７１】
また、本実施の形態のフィルムスキャナ１では、読取倍率記憶部２５が、１回スキャニングモードでの読み取り倍率と、２回スキャニングモードの本スキャニングでの読み取り倍率をそれぞれ記憶しており、読取倍率書換部２６が、読取倍率記憶部２５に記憶されている読み取り倍率を、幅検出センサ１１１によって検出されたフィルムの幅、及びモード記憶部２２に記憶されているスキャニングモードに基づいて書き換える。したがって、フィルムの幅を考慮して読み取り倍率を決定することができる。
【００７２】
さらに、本実施の形態のフィルムスキャナ１では、読取倍率記憶部２５には、２回スキャニングモードの本スキャニングでの読み取り倍率として、１回スキャニングモードでのフィルムの読み取り倍率よりも高い倍率が記憶される。したがって、オペレータが１回スキャニングモードを選択した場合には、フィルムスキャナ１の処理能力を向上させることが可能となり、２回スキャニングモードを選択した場合には、高画質プリントを得ることが可能となる。
【００７３】
加えて、本実施の形態のフィルムスキャナ１では、モード記憶部２２は、プリントチャンネル毎に各スキャニングモードのうちいずれか１つを記憶している。したがって、プリントチャンネル毎に目的に応じたスキャニングモードを予め設定しておくことができる。よって、フィルムスキャナ１の作業性が向上する。
【００７４】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、読取倍率記憶部２５が、１回スキャニングモードでの読み取り倍率と、２回スキャニングモードの本スキャニングでの読み取り倍率とをそれぞれ記憶しており、読取倍率書換部２６が、読取倍率記憶部２５に記憶されている読み取り倍率を、幅検出センサ１１１によって検出されたフィルムの幅、及びモード記憶部２２に記憶されているスキャニングモードに基づいて書き換える場合について説明したが、これには限られない。オペレータがフィルムの幅を入力するようにして、その入力情報に基づいて、読取倍率書換部２６が読み取り倍率を書き換えるようにしてもよい。また、読取倍率記憶部２５、及び読取倍率書換部２６はなくてもよい。
【００７５】
また、上述の実施の形態では、読取倍率記憶部２５には、２回スキャニングモードの本スキャニングでの読み取り倍率として、１回スキャニングモードでのフィルムの読み取り倍率よりも高い倍率が記憶される場合について説明したが、２回スキャニングモードの本スキャニングでの読み取り倍率として、１回スキャニングモードでのフィルムの読み取り倍率よりも低い倍率が記憶されてもよい。
【００７６】
さらに、上述の実施の形態では、オペレータが基準サイズを超えるプリントサイズを設定した場合のみ、スキャニングモードのリスト５５ｂが表示され、オペレータが自由にスキャニングモードを選択することができる場合について説明したが、これには限られない。設定したプリントサイズに拘らず、オペレータが自由にスキャニングモードを選択できるようにしてもよい。
【００７７】
加えて、上述の実施の形態では、モード記憶部２２が、プリントチャンネル毎に各スキャニングモードのうちいずれか１つを記憶している場合について説明したが、これには限られない。スキャニングモードは、プリントチャンネル毎に記憶されていなくてもよい。
【００７８】
また、上述の実施の形態では、２回スキャニングモードとして、設定されたサイズのプリントを作成するのに適した倍率で本スキャニングを行う品質優先２回スキャニングモードと、設定されたサイズのプリントを作成するのに適した倍率よりも低く、且つ基準サイズのプリントを作成するのに適した倍率よりも高い倍率で本スキャニングを行う能力優先２回スキャニングモードとがある場合について説明したが、これには限られない。２回スキャニングモードは、２つのタイプに細別されていなくてもよいし、３つ以上のタイプに細別されていてもよい。
【００７９】
さらに、上述の実施の形態では、モード設定部２１が、デフォルトのスキャニングモードとして後述する１回スキャニングモードを設定する場合について説明したが、これには限られない。モード設定部２１は、品質優先２回スキャニングモードや能力優先２回スキャニングモードをデフォルトのスキャニングモードとして設定してもよい。また、例えば、オペレータが設定したプリントサイズが基準サイズ以下である場合は１回スキャニングモードを、基準サイズを超える場合は品質優先２回スキャニングモードを自動的に設定するようにしてもよい。
【００８０】
さらに、上述の実施の形態では、１回スキャニングモードにおいて、基準サイズのプリントを作成するのに適した倍率でフィルムを読み取る場合について説明したが、１回スキャニングモードでの読み取り倍率は、基準サイズのプリントを作成可能な倍率であればよい。また、品質優先２回スキャニングモードの本スキャニングにおける読み取り倍率は、オペレータが入力したサイズのプリントを作成するのに適した倍率に限らず、オペレータが入力したサイズのプリントを作成可能な倍率であればよい。
【００８１】
加えて、上述の実施の形態では、フィルムを読み取るフィルムスキャナ１について説明したが、これには限られない。本発明は、画像が形成された原稿を読み取る画像読取装置一般に適用可能である。
【図面の簡単な説明】
【００８２】
【図１】本発明の一実施の形態に係るフィルムスキャナ概略構成を示す図である。
【図２】図１に示す読取部の内部構成を示す図である。
【図３】図１に示すコントローラの構成を示すブロック図である。
【図４】図１に示すディスプレイに表示される画面を示す図である。
【図５Ａ】図１に示すフィルムスキャナにおけるフィルムの読み取り手順を示すフローチャート（前半）である。
【図５Ｂ】図１に示すフィルムスキャナにおけるフィルムの読み取り手順を示すフローチャート（後半）である。
【図６】図４に示すフローチャート中に行われる割り込み処理の手順を示すフローチャートである。
【符号の説明】
【００８３】
１  フィルムスキャナ（画像読取装置）
１０  読取部
２０  コントローラ
２１  モード設定部（モード設定手段）
２２  モード記憶部（モード記憶手段）
２３  モード書換部（モード書換手段）
２４  読取制御部（読取制御手段）
２５  読取倍率記憶部（読取倍率記憶手段）
２６  読取倍率書換部（読取倍率書換手段）
３１  ディスプレイ
３２  キーボード（入力デバイス）
３３  マウス（入力デバイス）
４０  プリントチャンネル選択画面
５０  プリントチャンネル設定画面
５５  モード表示フィールド
５５ａ  リスト表示ボタン
５５ｂ  リスト
１１１  幅検出センサ
【図１】
2006173858.tif 000003
【図２】
2006173858.tif 000004
【図３】
2006173858.tif 000005
【図４】
2006173858.tif 000006
【図５Ａ】
2006173858.tif 000007
【図５Ｂ】
2006173858.tif 000008
【図６】
2006173858.tif 000009